(57)【特許請求の範囲】
【請求項１】
室の出入口５に、表面を凸面状に形成し、裏面を凹面状に形成した略半筒状の扉板７を設け、この扉板７は扉板７の縦方向の中心線が回動の略中心となるようにして回動可能に設け、そして、室の出入口５の側部の下端部近くの位置で、操作する者の足先で操作できる位置に、扉板７の回動を抑止できる回動抑止体３２を設置し、この回動抑止体３２は、突出して扉板７の回動を抑止すると共に、没入して扉板７の回動を許容するように形成し、
前記回動抑止体３２を、丈長に形成した抑止片３３と、この抑止片３３の下端部に、くの字状に折曲げて連設し、かつ、前記抑止片３３より短く形成した操作片３４で形成し、前記抑止片３３と操作片３４の連設した部分を、出入口５の側部に軸着し、操作片３４を押下げる向きに回動することにより、抑止片３３を扉板７の回動を抑止できる位置に回動させて突出させ、抑止片３３を押上げる向きに回動することにより、抑止片３３を扉板７の回動を許容できる位置に回動して没入させるように形成すると共に、操作片３４を、突出した位置にあっても、扉板７の回動に支障がないように形成した回転ドア装置。
【請求項２】
前記回動抑止体３２を、室の出入口５の両側部に設置した請求項１記載の回転ドア装置。
【発明の詳細な説明】
【０００１】
【発明の属する技術分野】
本発明は、室の出入口を開閉する回転ドア装置に関する。
【０００２】
【従来の技術】
従来、トイレ用の室などの出入口の開閉を、回転ドア装置で行うようにすることは、公知である。
【０００３】
【発明が解決しようとする課題】
前記従来の回転ドア装置は、回転ドアを操作する手段を、すべて手で操作できる位置に設けている。
【０００４】
したがって、前記のような回転ドア装置は、手に傷害のある者などには、負担が過大となる。
本発明は、前記事項に鑑みなされたものであり、手に過大な負担が掛からないような回転ドア装置とすることを課題とする。
【０００５】
【課題を解決するための手段】
本願の第１の発明は、室の出入口５に、表面を凸面状に形成し、裏面を凹面状に形成した略半筒状の扉板７を設け、この扉板７は扉板７の縦方向の中心線が回動の略中心となるようにして回動可能に設け、そして、室の出入口５の側部の下端部近くの位置で、操作する者の足先で操作できる位置に、扉板７の回動を抑止できる回動抑止体３２を設置し、この回動抑止体３２は、突出して扉板７の回動を抑止すると共に、没入して扉板７の回動を許容するように形成して回転ドア装置とした。
【０００６】
本願の第２の発明は、第１の発明において、回動抑止体３２を、丈長に形成した抑止片３３と、この抑止片３３の下端部に、くの字状に折曲げて連設し、かつ、前記抑止片３３より短く形成した操作片３４で形成し、前記抑止片３３と操作片３４の連設した部分を、出入口５の側部に軸着し、操作片３４を押下げる向きに回動することにより、抑止片３３を扉板７の回動を抑止できる位置に回動させて突出させ、抑止片３３を押上げる向きに回動することにより、抑止片３３を扉板７の回動を許容できる位置に回動して没入させるように形成すると共に、操作片３４を、突出した位置にあっても、扉板７の回動に支障がないように形成して回転ドア装置とした。
【０００７】
【発明の実施の形態】
以下図に基づいて本発明の実施の形態の説明をする。図１から図１０は、本発明の一実施の形態の説明用の図である。
【０００８】
この実施の形態の回転ドア装置は、図２のＡ−Ａ線の位置で破断した断面図である図１に示すように、天井部１４の下側に連結部材１５を介してドア支持部１６を固定し、このドア支持部１６の内側の下部に、円環状のレール１７を取付けてある。
【０００９】
そして、床１の上に立設した周壁２は、図１のＢ−Ｂ線の位置で破断した断面図である図２に示すように、４角形に形成した周壁２の前部の両側部を、それぞれ折返し部３・３に形成し、この折返し部３・３の間が、便器６を備えたトイレである室の出入口５となるものである。
【００１０】
そして、前記周壁２の前部の側部の上部は、図１に示すように、ドア支持部１６に固定されている。
そして、三方を周壁２で囲まれた室の出入口５に、表面を凸面状に形成し、裏面を凹面状に形成した半円筒状の扉板７が設けてあり、この扉板７は、図１に示すように、上部にドア吊下げ部１８が取付けてあり、このドア吊下げ部１８の上部の下面には、多数のローラ１９が円形に設置してある。
【００１１】
そして、このローラ１９が、前記した環状のレール１７の上を走行して、ドア吊下げ部１８を回動し、扉板７が扉板７の縦方向の中心線が回動の中心となるようにして回動するように形成してある。
【００１２】
また、天井部１４の下面には、歯車による減速装置を備えたモータで形成した駆動装置２５が設けてあり、この駆動装置２５の回動軸２６は、ドア支持部１６に設けた図示してない軸受に挿通され、先端部がドア吊下げ部１８に取付けられ、ドア吊下げ部１８に取付けられた扉板７を回動できるように形成してある。
【００１３】
そして、前記駆動装置２５には、駆動装置のスイッチが入ると駆動装置２５とドア７を接続し、駆動装置のスイッチが切れると前記接続が外れる、図示してないクラッチが設けてある。
【００１４】
そして、前記駆動装置２５は、扉板７が図４に示す位置にあるときスイッチが入ると、クラッチが接続し扉板７を反時計方向に略１８０度回動させて、扉板７が図２に示す位置に達すると、停止する。
【００１５】
そして、扉板７が図２に示す位置で、駆動装置２５のスイッチが入ると駆動装置２５は、扉板７を時計方向に回動させて、扉板７が図４に示す位置に達すると、扉板７を停止させるように回動するよう形成してある。
【００１６】
そして、扉板７回動用のスイッチは、図示してないが、床１に設けてある。
そして、図１に示すように、室の出入口の側部である折返し部３の左側の部分の下端部近くの位置で、回転ドア装置を操作する者の足先で操作できる位置に扉板７の回動を抑止できる回動抑止体３２を設置してある。
【００１７】
そして、この回動抑止体３２は、扉板７の回動する経路に突出して扉板７の回動を抑止すると共に、扉板７の回動の経路より没入して扉板７の回動を許容するように形成してある。
【００１８】
そして、前記回動抑止体３２は、次に記載するようにして形成されている。
すなわち、回動抑止体３２は、図５に示すように、円筒体で長さが８５ｍｍに形成した抑止片３３の下端部に、抑止片３３より４５度くの字状に折曲げた、長さが６０ｍｍの操作片３４を連設して形成している。
【００１９】
そして、前記抑止片３３と操作片３４の連設した部分には、管状軸受３５を横方向に向けて取付けて設けてある。
前記回動抑止体３２を、図６に示すように収容するケース４２は、図７及び図８に示すように、縦長の開口縁部に、フランジ部４５が設けてあり、このフランジ部４５の上部と側部で、回動抑止体３２を操作する足に履いた靴などが当接し易い部分には、補強用のフランジ折返し部４６が設けてある。
【００２０】
そして、ケース４２のフランジ部４５と底面には、ビス取付孔４７が設けてあり、ケース４２の側壁４３・４３間の上部には、回動抑止体３２の抑止片３３が当接する当接子４８が設けてあり、また、側壁４３・４３の下方寄りの中央部には、軸装着孔４４・４４が設けてある。
【００２１】
そして、図６に示すように、回動抑止体３２をケース４２に収容し、ケース４２の側壁４３・４３に設けた軸装着孔４４・４４に挿通する軸３６を、回動抑止体３２の管状軸受３５に挿通して、回動抑止体３２を回動可能に軸着している。
【００２２】
そして、回動抑止体３２の抑止片３３と、ケース４２内に設けた当接子４８は、その一方を磁石とし、他方を前記磁石に吸着される磁性材料製として、図１及び図９に示すように、抑止片３３を扉板７の回動を許容できる位置に回動させたとき、抑止片３３を当接子４８に吸着させて止着できるように形成してある。
【００２３】
そして、図１及び図２に示すように、回動抑止体３２の設けてない方の周壁２の折返し部３には、扉板７の回動を抑止するストッパ４が設けてある。
そして、回動抑制体３２を軸着したケース４２の側壁４３で囲まれた部分を、周壁２の一方の折返し部３の下端部近くに設けた切抜き孔に挿入して（図１）、ケース４２のフランジ部４５に設けたビス取付け孔４７を使って、前記ケース４２を周壁２の折返し部３に固定している。
【００２４】
そして、前記の如く形成することによって、図１・図２及び図９に示す位置にある操作片３４を、押下げる向きに回動することにより、抑止片３３を、図３及び図１０に示す扉板７の回動を抑止できる位置に回動させて、抑止片３３を扉板７の回動の経路に突出させられるものである。
【００２５】
そして、図３及び図１０に示す位置にあり、扉板７の回動を抑止している抑止片３３を、押上げる向きに回動することにより、抑止片３３を扉板７の回動を許容できる位置である図１・図２及び図９に示す位置に回動して、抑止片３３を扉板７の回動を許容できる位置に回動して没入させることができるように形成してある。
【００２６】
そして、操作片３４は、図１及び図２に示す突出した位置にあっても、この突出した操作片３４は、扉板７の回動の経路には達しておらず、扉板７の回動に支障はないものである。
【００２７】
この実施の形態の回転ドア装置は、トイレを使用しないときは、図４に示すように、扉板７の凸面状の表面が室内側に凸入するようにして、室の出入口５を閉ざしておく、
そうすると、室内を使用しないときは、室の出入口５の外側が室外となり、室外を広くする。そして、この広くなった室外を使用できるものである。
【００２８】
そして、室を使用する場合は、使用者は、図４に示す扉板７の凹面状の裏面の前に立ち、床１に設けた図示してないスイッチを操作して、扉板７を駆動装置２５で反時計方向に回動させる。
【００２９】
そうすると、扉板７は図２に示す位置に回動し、駆動装置２５のスイッチが切れ、扉板７の端部がストッパ４に当接して扉板７が停止する。
そして、図４に示す扉板７の凹面状の裏面の前の室外に立っていた使用者は、回動した扉板７の凹面状の裏面の前の広くなった室内に立つこととなる。
【００３０】
そして、扉板７の駆動装置２５を使用しない場合は、駆動装置２５のスイッチを入れなければ、駆動装置２５と扉板７の間の図示してないクラッチが切れているので、扉板７の取っ手８を把持して、駆動装置２５のない普通の扉板と同様に回動できる。
【００３１】
そして、図２に示す室内に立った使用者は、図１・図２及び図９に示す状態の回動抑止体３２の操作片３４を、足先で踏んで押下げて、図３及び図１０に示す、抑止片３３を扉板７の回動を抑止できる位置である扉板７の回動の経路に突出させて、扉板７を抑止する。
【００３２】
そして、この扉板７の凹面状の裏面が室内側となって広くなった室の出入口５を閉ざす扉板７は、抑止片３３で回動を抑止される。そこで使用者は閉ざされた室を使用できるものである。
【００３３】
そして、図３に示す室内から室外に出るには、図３及び図１０に示すように、扉板７の回動を抑止できる位置に突出している抑止片３３の下面側を、靴などを履いた足先の上面側で押上げて回動させ、図１・図２及び図９に示す位置に抑止片３３を回動し、抑止片３３を当接子４８に吸着させて固定する。
【００３４】
そこで、使用者は、図２に示す扉板７の凹入した裏面の前の室内に立ち、扉板７の駆動装置２５を使い、又は取っ手８を把持して扉板７を回動させ、扉板７を図４に示す位置にし室外に出るものである。
【００３５】
図１１及び図１２は、回動抑止体３２の別の実施の形態の説明用の図である。以下さきの実施の形態と同様の部分は、同一の符号を用い説明を一部省略した。
【００３６】
この実施の形態の回動抑止体３２は、抑止片３３と操作片３４を長尺の板状体で形成し、筒状軸受３５は、抑止体３３と操作片３４の連設部の外側に溶着して取付けたものである。
【００３７】
前記図１から図１０に示す実施の形態では、周壁２の一方の折返し部３に回動抑止体３２を設け、他方の折返し部３にストッパ４を設けている。
しかしながら、前記他方の折返し部３に設けたストッパ４を取除き、この取除いた部分に、一方の折返し部３に設けた回動抑止体３２と同様の働きをする回動抑止体３２を設けることも可能である。
【００３８】
そして、前記のように、両方の折返し部３・３に回動抑止体３２を設けると、使用者が室内に入るときは、一方の折返し部３に設けた回動抑止体３２の抑止片３３を、扉板７の回動の経路から没入させ、他方の折返し部３に設けた回動抑止体３２は、抑止片３３を扉板７の回動の経路に突出させてストッパとして使用することができる。
【００３９】
そして、使用者が室内からでるときは、他方の折返し部３に設けた回動抑止体３２を扉板７の回動の経路から没入させ、一方の折返し部３に設けた回動抑止体３２は、抑止片３３を扉板７の経路に突出させてストッパとして使用することができる。そして、前記の如くすると、使用者は室内に入るときも、また室内から出るときも常に扉板７を同一の方向に回動させて、室に出入することが可能である。
【００４０】
【発明の効果】
本発明は、室の出入口５の側部の下端部近くの位置で、操作する者の足先で操作できる位置に、扉板７の回動を抑止できる回動抑止体３２を設置したものである。
【００４１】
したがって、室の出入口５に設けた回転ドア装置を、手に傷害のある者であっても、手に過大な負担が掛からないようにして操作する事ができるものである。
【図面の簡単な説明】
【図１】  本発明の一実施の形態の説明用の図で、図２のＡ−Ａ線の位置で断面した正面図
【図２】  本発明の一実施の形態の説明用の図で、使用者が室内に入った直後の、状態の図１のＢ−Ｂ線の位置の上面よりみた断面図
【図３】  本発明の一実施の形態の説明用の図で、扉板をロックした状態の断面図
【図４】  本発明の一実施の形態の説明用の図で、室を不使用状態とした断面図
【図５】  本発明の一実施の形態の説明用の図で、回動抑止体の側面図
【図６】  本発明の一実施の形態の説明用の図で、ケースに回動抑止体を収容した正面図
【図７】  本発明の一実施の形態の説明用の図で、ケースの正面図
【図８】  本発明の一実施の形態の説明用の図で、ケースの側面図
【図９】  本発明の一実施の形態の説明用の図で、回動抑止体をケースに没入させた状態の側面図
【図１０】  本発明の一実施の形態の説明用の図で、回動抑止体をケースより突出させた状態の側面図
【図１１】  本発明の別の実施の形態の回動抑止体の正面図
【図１２】  本発明の別の実施の形態の回動抑止体の側面図
【符号の説明】
１    床
２    周壁
３    折返し部
４    ストッパ
５    出入口
６    便器
７    扉板
８    取っ手
１４    天井部
１５    連結部材
１６    ドア支持部
１７    レール
１８    ドア吊下げ部
１９    ローラ
２５    駆動装置
２６    回動軸
３２    回動抑止体
３３    抑止片
３４    操作片
３５    管状軸受
３６    軸
４２    ケース
４３    側壁
４４    軸装着孔
４５    フランジ部
４６    フランジ折返し部
４７    ビス取付孔
４８    当接子
【図１】
0003698512.tif 000002
【図２】
0003698512.tif 000003
【図３】
0003698512.tif 000004
【図４】
0003698512.tif 000005
【図５】
0003698512.tif 000006
【図６】
0003698512.tif 000007
【図７】
0003698512.tif 000008
【図８】
0003698512.tif 000009
【図９】
0003698512.tif 000010
【図１０】
0003698512.tif 000011
【図１１】
0003698512.tif 000012
【図１２】
0003698512.tif 000013